Podtech/llm-jp-corpus-v4-ja_patent huggingface dataset:
【手続補正書】
【提出日】平成28年10月4日(2016.10.4)
【手続補正１】
【補正対象書類名】特許請求の範囲
【補正対象項目名】請求項３
【補正方法】変更
【補正の内容】
【請求項３】
前記タイミング調整手段は、前記電流検出手段が、電流検出可能な最小デューティを最小幅とし、最大デューティ（１００％）より前記最小幅を減じたものを最大幅とし、前記最大幅未満で且つ前記最小幅を超えるデューティを中間幅とすると、２相ＰＷＭ信号の出力パターンを、第１〜第３相のデューティの以下の組み合わせでパターン（０〜１１）に分別し、
（１）第１相が中間幅で、第２又は第３相が最大幅以上の場合
（２，３）第２又は第３相の何れか一方が中間幅で、他方が最大幅以上の場合
（４，６）第１相と、第２又は第３相とが何れも最大幅以上の場合
（５）第２相と、第３相とが何れも最大幅以上の場合
（７）第１相が０以上で、第２又は第３相の何れかが最小幅未満の場合
（８，９）第２又は第３相の何れかが０以上で、他方が最小幅未満の場合
（１０，１１）第１相が最小幅未満で、第２又は第３相の何れかが０以上の場合
（０）：（１）〜（１１）以外の場合
また、第１〜第３相のデューティにおける以下の大小関係により、セクタ（０〜５）に分別すると、
（０）第１相が最大で且つ第２相＞第３相
（１）第１相が最大で且つ第２相＜第３相
（２）第２相が最大で且つ第１相＞第３相
（３）第２相が最大で且つ第１相＜第３相
（４）第３相が最大で且つ第１相＞第２相
（５）第３相が最大で且つ第１相＜第２相
前記パターン（０〜１１）と、前記セクタ（０〜５）との組み合わせに応じて、前記他方の相についての電流検出を、予め定めた固定タイミングとするか、前記固定タイミングより変化させたタイミングとするかを決定することを特徴とする請求項２記載のモータ制御装置。
【手続補正２】
【補正対象書類名】明細書
【補正対象項目名】００３７
【補正方法】変更
【補正の内容】
【００３７】
パターン（１）で且つセクタ（２）の場合は（Ｓ７４：ＹＥＳ）、Ａ／Ｄ変換タイミングをアップカウント期間でtime、すなわちステップＳ５３で決定された（PWM＿MAX−α）に設定する。また、ダウンカウント期間はαに設定する（Ｓ７５）。
【手続補正書】
【提出日】平成28年4月15日(2016.4.15)
【手続補正１】
【補正対象書類名】特許請求の範囲
【補正対象項目名】請求項２
【補正方法】変更
【補正の内容】
【請求項２】
一対のホールド部は、少なくともパネルに接する面が同一形状であり、各ホールド部は、その上面が、パネル側となる内側が窪み外側が上方へ隆起する形状になっていることを特徴とする請求項１に記載のクライミング遊具。
【手続補正２】
【補正対象書類名】特許請求の範囲
【補正対象項目名】請求項４
【補正方法】変更
【補正の内容】
【請求項４】
スタンドが、左右一対の支柱部と、該支柱部の上方に掛け渡された上方横架部と、前記支柱部の下方に掛け渡された下方横架部とからなっており、前記左右一対の支柱部と上方横架部と下方横架部とからなる枠体にブラケットを介してパネル本体が固着されていることを特徴とする請求項１から３のいずれかに記載のクライミング遊具。
【手続補正３】
【補正対象書類名】明細書
【補正対象項目名】０００５
【補正方法】変更
【補正の内容】
【０００５】
この発明は、１枚のパネルを挟んで表裏で対向する位置にホールド部を配置し、パネルを貫通する固定具により一対のホールド部をパネルに共締めすることができ、構造の簡易化と信頼性の高さを実現した。
請求項１の発明では、
設置面に立設されたスタンドに取り付けられたパネルと、該パネルに複数配置されてパネルに固定され遊戯者の手または足を掛止めるホールド部とからなるクライミング遊具において、
ホールド部が、パネルを挟んで表裏で対向する位置に配置され、パネルを貫通する固定具により共締めされた一対のホールド部からなっていることを特徴とする。
請求項２の発明では、
前記一対のホールド部は、少なくともパネルに接する面が同一形状であり、各ホールド部は、その上面が、パネル側となる内側が窪み外側が上方へ隆起する形状になっていることを特徴とする。
請求項３の発明では、
前記パネルが透明または半透明からなっていることを特徴とする。
請求項４の発明では、
スタンドが、左右一対の支柱部と、該支柱部の上方に掛け渡された上方横架部と、前記支柱部の下方に掛け渡された下方横架部とからなっており、前記左右一対の支柱部と上方横架部と下方横架部とからなる枠体にブラケットを介してパネル本体が固着されていることを特徴とする。
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
画像を表示する表示手段と、
電子ペン又は指示手段が前記表示手段に接触したことを判別する判別手段と、
前記判別手段で前記指示手段と判別された場合、前記指示手段に対応する表示を当該表示手段に表示させ、前記判別手段で前記電子ペンと判別された場合、前記電子ペンに対応する表示を前記表示手段に表示させる表示制御手段と、
を有することを特徴とする情報処理装置。
【請求項２】
前記表示手段に対し前記指示手段が接触した座標を検出する座標検出手段と、
前記座標検出手段によって座標が検出された場合、時間の計測を開始する時間計測手段と、
前記座標を時系列に蓄積する座標蓄積手段と、を有し、
前記表示制御手段は、前記座標を連結して表示させることを特徴とする請求項１に記載の情報処理装置。 
【請求項３】
前記指示手段に対応する表示を当該表示手段に第１の所定時間表示させた後、消去することを特徴とする請求項１に記載の情報処理装置。 
【請求項４】
前記指示手段に対応する表示を当該表示手段に第１の所定時間表示させた後、第２の所定時間かけて消去することを特徴とする請求項１に記載の情報処理装置。 
【請求項５】
前記指示手段に対応する表示と、前記電子ペンに対応する表示とは、区別されるように表示されることを特徴とする請求項１に記載の情報処理装置。 
【請求項６】
前記指示手段に対応する表示と、前記電子ペンに対応する表示とは、太さを異ならせて表示させることを特徴とする請求項５に記載の情報処理装置。 
【請求項７】
前記指示手段に対応する表示と、前記電子ペンに対応する表示とは、透過性を異ならせて表示させることを特徴とする請求項５に記載の情報処理装置。 
【請求項８】
前記指示手段が前記表示手段へ接触したことを示す接触情報を受信する接触情報受信手段を有し、
前記時間計測手段は、
前記座標検出手段により検出された前記指示手段の太さが閾値未満であること、前記接触情報受信手段が接触情報を前記指示手段から受信しないこと、
及び、前記接触情報受信手段が前記接触情報を受信することなく前記座標検出手段が前記指示手段の座標を検出したこと、
の条件が満たされた場合に、時間の計測を開始することを特徴とする請求項２に記載の情報処理装置。 
【請求項９】
前記指示手段が前記表示手段へ接触したことを示す接触情報を受信する接触情報受信手段を有し、
前記接触情報受信手段が前記接触情報を受信しない場合に、前記座標検出手段が検出した座標の履歴に基づいて前記表示手段に表示された画像を拡大、縮小又は移動する操作を検出する、ことを特徴とする請求項２に記載の情報処理装置。 
【請求項１０】
第３の所定時間経過後に、前記表示手段に表示されている画像を拡大、縮小又は移動することを特徴とする請求項９に記載の情報処理装置。 
【請求項１１】
画像を表示する表示手段を含む情報処理装置が複数接続された情報処理システムであって、第１の情報処理装置は、
電子ペン又は指示手段が前記表示手段へ接触したことを判別する判別手段と、
前記判別手段で前記指示手段と判別された場合、前記指示手段に対応する表示を当該表示手段に表示させ、前記判別手段で前記電子ペンと判別された場合、前記電子ペンに対応する表示を前記表示手段に表示させる表示制御手段と、を有し、
前記指示手段に対応する表示を第２の情報処理装置の表示手段に表示させることを特徴とする情報処理システム。 
【請求項１２】
情報処理装置の識別情報に対応づけて、情報処理装置との通信状態を示す通信状態情報が登録された状態記憶手段と、
前記状態記憶手段を参照して、各情報処理装置の識別情報、及び、通信状態をリスト状に表示する情報処理装置リスト表示手段と、
を有することを特徴とする請求項１１に記載の情報処理システム。 
【請求項１３】
情報処理装置を、
画像を表示する表示手段と、
電子ペン又は指示手段が前記表示手段に接触したことを判別する判別手段と、
前記判別手段で前記指示手段と判別された場合、前記指示手段に対応する表示を当該表示手段に表示させ、前記判別手段で前記電子ペンと判別された場合、前記電子ペンに対応する表示を前記表示手段に表示させる表示制御手段、として機能させるためのプログラム。
【手続補正２】
【補正対象書類名】明細書
【補正対象項目名】０００６
【補正方法】変更
【補正の内容】
【０００６】
本発明は、画像を表示する表示手段と、電子ペン又は指示手段が前記表示手段に接触したことを判別する判別手段と、前記判別手段で前記指示手段と判別された場合、前記指示手段に対応する表示を当該表示手段に表示させ、前記判別手段で前記電子ペンと判別された場合、前記電子ペンに対応する表示を前記表示手段に表示させる表示制御手段と、を有する情報処理装置を提供する。
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
新たな調査のための事前情報を提供する文書調査システムであって、
過去の調査に関する関連情報を解析し、
前記解析した結果に基づいて調査結果データベースに、前記過去の調査における特徴的行為を示す調査モデルを、過去の調査ごとに登録し、
前記新たな調査に関する内容を特定可能な入力情報が受け付けられた場合、当該入力情報に応じて前記調査結果データベースから前記調査モデルを抽出し、
前記抽出した調査モデルから計算されるモデル出力結果を、前記新たな調査を実施するための事前情報として提供することによって、前記新たな調査の負担を軽減する文書調査システム。
【請求項２】
前記関連情報は、文書情報を含み、
前記文書調査システムは、
前記文書情報に含まれる文書と、当該文書を分類する際に用いられる識別子との結びつきの強さを示すスコアを算出し、
前記算出したスコアに基づいて前記調査モデルを登録する
請求項１に記載の文書調査システム。
【請求項３】
前記文書調査システムは、
新たに収集した関連情報と既存情報との関連性にしたがって当該関連情報と既存情報とに共通する情報要素を抽出し、
前記調査モデルを規定する調査モデルパラメータを、前記情報要素に基づいて変更する
請求項１または２に記載の文書調査システム。
【請求項４】
前記文書調査システムは、
前記抽出した調査モデルを規定する調査モデルパラメータを用いて、特徴的行為を示す内容を前記モデル出力結果として当該調査モデルから導出し、
前記導出した結果を前記事前情報として提供する
請求項１〜３のいずれか１項に記載の文書調査システム。
【請求項５】
新たな調査のための事前情報を提供する文書調査方法であって、
過去の調査に関する関連情報を解析し、
前記解析した結果に基づいて調査結果データベースに、前記過去の調査における特徴的行為を示す調査モデルを、過去の調査ごとに登録し、
前記新たな調査に関する内容を特定可能な入力情報が受け付けられた場合、当該入力情報に応じて前記調査結果データベースから前記調査モデルを抽出し、
前記抽出した調査モデルから計算されるモデル出力結果を、前記新たな調査を実施するための事前情報として提供することによって、前記新たな調査の負担を軽減する文書調査方法。
【請求項６】
新たな調査のための事前情報を提供する文書調査プログラムであって、
コンピュータに、
過去の調査に関する関連情報を解析させ、
前記解析した結果に基づいて調査結果データベースに、前記過去の調査における特徴的行為を示す調査モデルを、過去の調査ごとに登録させ、
前記新たな調査に関する内容を特定可能な入力情報が受け付けられた場合、当該入力情報に応じて前記調査結果データベースから前記調査モデルを抽出させ、
前記抽出した調査モデルから計算されるモデル出力結果を、前記新たな調査を実施するための事前情報として提供させることによって、前記新たな調査の負担を軽減する文書調査プログラム。
【手続補正書】
【提出日】平成28年9月20日(2016.9.20)
【手続補正１】
【補正対象書類名】明細書
【補正対象項目名】０１０５
【補正方法】変更
【補正の内容】
【０１０５】
また、第１コンデンサＣ１、第２コンデンサＣ２のキャパシタンス値を示す変数を、それぞれ、Ｃ１、Ｃ２と表記する。
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
複数のデータベースオブジェクトの投影インデックスの最新性を保持する際に使用するためのコンピュータ実施方法であって、
前記複数のデータベースオブジェクトのうちの第１のデータベースオブジェクトと、前記複数のデータベースオブジェクトのうちの少なくとも第２のデータベースオブジェクトとの間における接続を表す前記投影インデックスを作成するステップと、
前記第１のデータベースオブジェクトと、少なくとも前記第２のデータベースオブジェクトとの間におけるエンティティー依存関係を特定するステップと、
前記第１のデータベースオブジェクトと、少なくとも前記第２のデータベースオブジェクトとの間におけるパス依存関係を特定するステップと、
前記エンティティー依存関係および前記パス依存関係のうちの少なくとも一方の修正に応答して前記投影インデックスを更新するステップと
を含むことを特徴とするコンピュータ実施方法。
【請求項２】
前記投影インデックスを作成するステップは、前記第１のデータベースオブジェクトと、少なくとも前記第２のデータベースオブジェクトとの間における前記エンティティー依存関係および前記パス依存関係のうちの少なくとも一方が、前記第１のデータベースオブジェクトに関連付けられて格納されるように、前記複数のデータベースオブジェクトをメモリエリア内に格納するステップを含むことを特徴とする請求項１に記載のコンピュータ実施方法。
【請求項３】
エンティティー依存関係を特定するステップは、前記第２のデータベースオブジェクトが修正されていることを検知するステップを含むことを特徴とする請求項１に記載のコンピュータ実施方法。
【請求項４】
エンティティー依存関係を特定するステップは、前記第１のデータベースオブジェクトと、前記第２のデータベースオブジェクトとの間における前記エンティティー依存関係が、前記第２のデータベースオブジェクトの前記修正によって影響を受けているかどうかを、前記投影インデックスに基づいて特定するステップをさらに含むことを特徴とする請求項３に記載のコンピュータ実施方法。
【請求項５】
前記第１のデータベースオブジェクトと、前記第２のデータベースオブジェクトとの間における前記エンティティー依存関係が、前記第２のデータベースオブジェクトの前記修正によって影響を受けていると特定したことに応答して、前記第１のデータベースオブジェクトが最新ではないことをメモリエリア内に示すステップをさらに含むことを特徴とする請求項４に記載のコンピュータ実施方法。
【請求項６】
パス依存関係を特定するステップは、前記第１のデータベースオブジェクトと、前記第２のデータベースオブジェクトとの間における関係が修正されていることを検知するステップを含むことを特徴とする請求項１に記載のコンピュータ実施方法。
【請求項７】
パス依存関係を特定するステップは、前記第１のデータベースオブジェクトと、前記第２のデータベースオブジェクトとの間における前記パス依存関係が、前記第１のデータベースオブジェクトと、前記第２のデータベースオブジェクトとの間における前記関係の前記修正によって影響を受けているかどうかを、前記投影インデックスに基づいて特定するステップをさらに含むことを特徴とする請求項６に記載のコンピュータ実施方法。
【請求項８】
前記第１のデータベースオブジェクトと、前記第２のデータベースオブジェクトとの間における前記パス依存関係が、前記第１のデータベースオブジェクトと、前記第２のデータベースオブジェクトとの間における前記関係の前記修正によって影響を受けていると特定したことに応答して、前記第１のデータベースオブジェクトが最新ではないことをメモリエリア内に示すステップをさらに含むことを特徴とする請求項７に記載のコンピュータ実施方法。
【請求項９】
前記投影インデックスを更新するステップは、前記エンティティー依存関係および前記パス依存関係のうちの少なくとも一方の前記修正を反映するように前記第１のデータベースオブジェクトを更新するステップを含むことを特徴とする請求項１に記載のコンピュータ実施方法。
【請求項１０】
メモリエリアであって、
エンティティー依存関係およびパス依存関係によって接続されている少なくとも第１のデータベースオブジェクトおよび第２のデータベースオブジェクトを含む複数のデータベースオブジェクトを格納し、
前記第１のデータベースオブジェクトと、少なくとも前記第２のデータベースオブジェクトとの間における関係が、前記第１のデータベースオブジェクトに関連付けられて格納されるように前記複数のデータベースオブジェクトの投影インデックスを格納するように構成されているメモリエリアと、
前記メモリエリアに動作可能に結合されているプロセッサであって、
前記第１のデータベースオブジェクトと、少なくとも前記第２のデータベースオブジェクトとの間におけるエンティティー依存関係を特定し、
前記第１のデータベースオブジェクトと、少なくとも前記第２のデータベースオブジェクトとの間におけるパス依存関係を特定し、
前記エンティティー依存関係および前記パス依存関係のうちの少なくとも一方の修正に応答して前記投影インデックスを更新するように構成されているプロセッサと
を含むことを特徴とするコンピュータシステム。
【請求項１１】
複数のデータベースオブジェクトの投影インデックスの最新性を保持する際に使用するためのコンピュータ読み取り可能記録媒体であって、前記コンピュータ読み取り可能記録媒体はコンピュータによって実行可能なコンポーネントを有し、前記コンポーネントは、
少なくとも１つのプロセッサによって実行されたときに、
エンティティー依存関係およびパス依存関係によって接続されている少なくとも第１のデータベースオブジェクトおよび第２のデータベースオブジェクトを含む複数のデータベースオブジェクトをメモリエリア内に格納すること、および
前記第１のデータベースオブジェクトと、少なくとも前記第２のデータベースオブジェクトとの間における関係が、前記第１のデータベースオブジェクトに関連付けられて格納されるように前記複数のデータベースオブジェクトの投影インデックスを前記メモリエリア内に格納することを前記少なくとも１つのプロセッサに行わせるインデックス作成コンポーネントと、
少なくとも１つのプロセッサによって実行されたときに、前記第１のデータベースオブジェクトと、少なくとも前記第２のデータベースオブジェクトとの間におけるエンティティー依存関係を特定することを前記少なくとも１つのプロセッサに行わせるエンティティー依存関係コンポーネントと、
少なくとも１つのプロセッサによって実行されたときに、前記第１のデータベースオブジェクトと、少なくとも前記第２のデータベースオブジェクトとの間におけるパス依存関係を特定することを前記少なくとも１つのプロセッサに行わせるパス依存関係コンポーネントと
を含み、前記インデックス作成コンポーネントは、前記エンティティー依存関係および前記パス依存関係のうちの少なくとも一方の修正に応答して前記投影インデックスおよび前記第１のデータベースオブジェクトを更新することを前記少なくとも１つのプロセッサにさらに行わせることを特徴とするコンピュータ読み取り可能記録媒体。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
類似および所定の特徴を有する複数の実物体（１１０）をモデリングするシステムであって、
類似および所定の特徴を有する前記複数の実物体から少なくとも１つの実物体を受けることが可能な支持体（１０５）であって、前記少なくとも１つの実物体の使用の姿勢と類似の姿勢で物体を提示するように構成されている、支持体と、
少なくとも２つの個別の視点から前記少なくとも１つの実物体の少なくとも２つの異なる画像を取得するように構成された、少なくとも１つの画像取得装置（１１５−１；１１５−２）と、
前記少なくとも１つの実物体の前記少なくとも２つの異なる画像を受信するステップ（３０５）と、
前記少なくとも１つの実物体の少なくとも２つのテクスチャを取得するために、前記少なくとも２つの画像の各々の中の前記少なくとも１つの実物体の描画を切り取るステップ（３１０）と、
前記少なくとも１つの実物体の全体的三次元モデルを取得するステップ（３２０）と、
取得された前記少なくとも２つのテクスチャおよび前記全体的三次元モデルから前記少なくとも１つの実物体の三次元モデルを作成するステップと、
を実行するように構成されたデータ処理装置（１２０）と、を含むことを特徴とする、システム。
【請求項２】
画像取得装置が少なくとも１つの第一および少なくとも１つの第二画像センサを含み、前記少なくとも１つの第一および少なくとも１つの第二画像センサは、前記少なくとも２つの画像の各々を取得するためにそれぞれ使用される、請求項１に記載のシステム。
【請求項３】
前記少なくとも１つの第一および少なくとも１つの第二画像センサが、前記支持体に対して固定された所定の位置に配置されている、請求項２に記載のシステム。
【請求項４】
前記支持体が、クロマキー方式の画像処理に適した同一色を有する、請求項１から３のいずれか一項に記載のシステム。
【請求項５】
前記支持体が、前記少なくとも１つの実物体の静止点を形成する少なくとも１つの突起部を含む、請求項１から４のいずれか一項に記載のシステム。
【請求項６】
前記支持体が、前記少なくとも１つの実物体の２つの静止点を形成する少なくとも２つの開口部を含む、請求項１から５のいずれか一項に記載のシステム。
【請求項７】
前記データ処理装置がさらに、複数の全体的三次元モデルから１つの全体的三次元モデルを特定するように構成されており、取得された前記全体的三次元モデルは前記特定された全体的三次元モデルである、請求項１から６のいずれか一項に記載のシステム。
【請求項８】
前記データ処理装置がさらに、前記少なくとも１つの実物体の前記少なくとも２つのテクスチャのうちの少なくとも１つを修正するように構成されている、請求項１から７のいずれか一項に記載のシステム。
【請求項９】
前記データ処理装置がさらに、前記少なくとも１つの画像取得装置にコマンドを送信するように構成されており、前記少なくとも１つの実物体の前記少なくとも２つの異なる画像は前記コマンドに応えて取得される、請求項１から８のいずれか一項に記載のシステム。
【請求項１０】
前記コマンドが、前記少なくとも１つの画像取得装置の構成パラメータを含む、請求項９に記載のシステム。
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
第１及び第２の端を含む第１のシールと、
第１の縁と、該第１の縁に対向する第２の縁とを備え、前記第１及び第２の端の間に延在する中間区画と、
前記第１のシールに接合された第２のシールとを備え、
前記第２のシールが前記第１のシールから離隔されて冷却剤通路を画定し、
前記第２のシールが第１及び第２の端区画と、該第１及び第２の端区画の間に延在する中間区画とを備え、
前記中間区画が、第１の縁区画と該第１の縁区画に対向する第２の縁区画とを備え、
前記第１及び第２の縁区画が、第３のシールを受け入れる分離領域を規定する、連絡管シールアセンブリ。
【請求項２】
前記第１のシール部材の前記第１の端に動作可能に接続されたブラケット部材をさらに備える、請求項１記載の連絡管シールアセンブリ。
【請求項３】
第２のシール部材に接合された第１のシール部材を含む第１のシールコンポーネントであって、前記第１のシール部材が、第２の縁に延びる第１の縁を有するほぼ直線的な中間部を通って第２の端に延びる第１の端を含み、前記第２のシール部材が、第２の縁部に延びる第１の縁部を有するほぼ直線的な中間区画を通って第２の端部に延びる第１の端部を含み、前記第１の端と前記第１の端部が分割領域を規定し、前記第１の縁部が前記第１のシール部材の前記第１の縁に接合され、前記第２のシール部材が前記第１のシール部材から離隔されて冷却剤通路を画定する、第１のシールコンポーネントと、
第２のシールエレメントに接合された第１のシールエレメントを含む第２のシールコンポーネントであって、前記第１のシールエレメントが、第２の縁に延びる第１の縁を有するほぼ直線的な中間部を通って第２の端に延びる第１の端を含み、前記第２のシールエレメントが、前記第１のシールエレメントの前記中間部に接合される、ほぼ曲線を成す中間区画を通って第２の端区画に延びる第１の端区画を含む、第２のシールコンポーネントと
を備え、
前記第２のシール部材が、前記第１のシール部材の前記分割領域で、前記第１の端と前記第１の端部の間に受け入れられる、連絡管シールアセンブリ。
【請求項４】
前記第１のシールコンポーネントを前記第２のシールコンポーネントと接合するように構成された封鎖部材をさらに備える、請求項３記載の連絡管シールアセンブリ。
【請求項５】
前記第２のシールエレメントの第１の縁区画が前記第１のシールエレメントの前記第１の縁から離隔されて第１の冷却剤領域を画定し、前記第２のシールエレメントの前記第２の縁区画が前記第１のシールエレメントの前記第２の縁から離隔されて第２の冷却剤領域を画定し、前記第１および前記第２の冷却剤領域の一方が前記冷却剤通路に流体的に接続される、請求項３または４に記載の連絡管シールアセンブリ。
【請求項６】
前記第２のシールエレメントが、前記第１の縁区画に隣接するほぼ曲線を成す中間部に沿って延びる第１の複数の開口と、前記第２の縁区画に隣接するほぼ曲線を成す中間部に沿って延びる第２の複数の開口とを含む、請求項５記載の連絡管シールアセンブリ。
【請求項７】
タービン部と機械的に連結された圧縮器部と、
前記タービン部に流体的に接続された第１の連絡管であって、外部レール部材を有する後フレームと、内部レール部材と、前記外部および前記内部のレール部材を接合する第１および第２の側部レール部材とを含む、第１の連絡管と、
前記第１の連絡管に隣接する前記タービン部に流体的に接続された第２の連絡管であって、外部レールエレメントを有する後フレームと、内部レールエレメントと、前記外部および前記内部のレールエレメントを接合する第１および第２の側部レールエレメントとを含み、前記第１の側部レールエレメントが前記第２の側部レール部材に接合されてシール空洞を確立する、第２の連絡管と、
前記タービン部と前記外部レール部材との間に動作可能に接続された第１のシールコンポーネントであって、第２のシール部材に接合された第１のシール部材を含み、前記第１のシール部材が、第２の縁に延びる第１の縁を有するほぼ直線的な中間部を通って第２の端に延びる第１の端を含み、前記第２のシール部材が、第２の縁部に延びる第１の縁部を有するほぼ直線的な中間区画を通って第２の端部に延びる第１の端部を含み、前記第１の縁部が前記第１のシール部材の前記第１の縁に接合され、前記第１の端と前記第１の端部が分割領域を規定し、前記第２のシール部材が前記第１のシール部材から離隔されて冷却剤通路を画定する、第１のシールコンポーネントと、
前記シール空洞内に配列された第２のシールコンポーネントであって、第２のシールエレメントに接合された第１のシールエレメントを含み、前記第１のシールエレメントが、第２の縁に延びる第１の縁を有するほぼ直線的な中間部を通って第２の端に延びる第１の端を含み、前記第２のシールエレメントが、前記第１のシールエレメントの前記中間部に接合される、ほぼ曲線を成す中間区画を通って第２の端区画に延びる第１の端区画を含む、第２のシールコンポーネントと
を備え、
前記第２のシール部材が、前記第１のシール部材の前記分割領域で、前記第１の端と前記第１の端部の間に受け入れられる、ターボ機械。
【請求項８】
前記外部レール部材および前記内部レール部材又は第１の側部レール部材および第２の側部レール部材のそれぞれが、高温ガスにさらされるように構成され、配置されたガス径路表面を含み、後面が前記ガス径路表面からほぼ垂直に延び、前記ガス径路表面が遮熱コーティング（ＴＢＣ）層を施される、請求項７記載のターボ機械。
【請求項９】
前記外部レール部材および前記内部レール部材のそれぞれを通って前記タービン部に向かって延びる少なくとも１つのチャネルをさらに備え、前記少なくとも１つのチャネルが、前記冷却剤通路とタービンのコンポーネントとを流体的に相互接続する、請求項８記載のターボ機械。
【請求項１０】
前記第１の側部レールエレメントと前記第２の側部レール部材との間に延びる冷却剤チャネルをさらに備え、前記冷却剤チャネルが前記シール空洞に流体的に接続される、請求項７乃至９のいずれかに記載のターボ機械。
【請求項１１】
前記第２のシールエレメントの前記第１の端区画が前記第１のシールエレメントの前記第１の縁から離隔されて第１の冷却剤領域を画定し、前記第２シールエレメントの前記第２の縁区画が前記第１のシールエレメントの前記第２の縁から離隔されて第２の冷却剤領域を画定し、前記第１および前記第２の冷却剤領域の一方が前記冷却剤通路に流体的に接続される、請求項７乃至１０のいずれかに記載のターボ機械。
【請求項１２】
前記第２のシールエレメントが、前記第１の端区画に隣接するほぼ曲線を成す中間部に沿って延びる第１の複数の開口と、前記第２の縁区画に隣接するほぼ曲線を成す中間部に沿って延びる第２の複数の開口とを含む、請求項７乃至１１のいずれかに記載のターボ機械。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
粒子光学顕微鏡内でガラス化された試料の像を生成する方法であって：
試料材料を含む水溶液を供する手順；
前記水溶液を表面上に噴霧する手順；
前記水溶液を冷却することによって固化する手順；及び、
荷電粒子顕微鏡の試料チャンバ内において前記試料材料の像を生成する手順；
を有し、
前記表面は前記粒子光学顕微鏡の排気された試料チャンバ内の低温表面で、その結果、ガラス化された試料は、前記液滴が前記表面に衝突するときに前記表面上に形成される、ことを特徴とする、方法。
【請求項２】
前記液滴の少なくとも一部が、10μm未満の直径を有する結果、前記液滴の少なくとも一部はガラス化された試料を形成する、請求項1に記載の方法。
【請求項３】
前記水溶液は試料ホルダに噴霧され、前記試料ホルダは、低温保持装置と接触することによって低温に維持される、請求項1又は2に記載の方法。
【請求項４】
前記低温保持装置は、静電力によって前記試料ホルダ保持装置を引きつける、請求項3に記載の方法。
【請求項５】
前記粒子光学装置には、電子顕微鏡鏡筒及び/又はイオンビーム鏡筒が備えられる、請求項3又は4に記載の方法。
【請求項６】
前記ガラス化された試料を低温ウルトラミクロトームによるスライス又は集束イオンビームによるミリングにより加工することで、薄片の試料を形成する手順をさらに有する、請求項1乃至5のうちのいずれか一項に記載の方法。
【請求項７】
前記水溶液が、流体を混合して、該流体を前記表面に噴霧するように備えられる混合装置から噴霧される、請求項1乃至6のうちのいずれか一項に記載の方法。
【請求項８】
前記水溶液が、電子噴霧を用いて前記表面に噴霧される、請求項1乃至7のうちのいずれか一項に記載の方法。
【請求項９】
前記試料材料が、毛細管を備える注入システムを用いることによって前記低温表面に噴霧される、請求項1乃至8のうちのいずれか一項に記載の方法。
【請求項１０】
前記溶液を急速に冷却することによってガラス化された試料を形成する手順と、荷電粒子装置内で前記ガラス化された試料の像を生成する手順が、前記試料を、前記試料を形成する手順と前記像を生成する手順との間で、昇圧された環境に曝露することなく同一の粒子光学装置内に行われる、請求項1乃至9のうちのいずれか一項に記載の方法。
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
音響パネルであって、
背面シート層と、表面シート層と、前記背面シート層及び表面シート層間に配置されたコア層と、を有する複合積層パネルを備え、
前記コア層が、前記コア層及び前記表面シート層間の境界部にて１つ又はそれ以上の窪み部を有し、
前記表面シート層が、前記１つ又はそれ以上のコア層窪み部に共形であり、前記１つ又はそれ以上の窪み部内に窪み面と、前記１つ又はそれ以上の窪み部内ではない他の全ての場所に表面と、該表面と前記窪み面との間で延びる移行面とを有し、
前記表面が、前記窪み面と実質的に平行であり、
前記表面シート層が、前記表面及び前記窪み面にわたってほぼ均一な厚みを有し、
前記１つ又はそれ以上の窪み部が、前記窪み面及び前記表面の間で測定した深さを有し、前記音響パネルが更に、
前記窪み面内に位置し且つ前記コア層を通って延びる前記１つ又はそれ以上の窪み部を貫通する孔と、
前記孔を貫通して延びるボルト組立体と、
を備え、
前記ボルト組立体が、前記コア層内に延びる第１のブッシュを備え、該第１のブッシュのフランジが、前記窪み部の深さよりも小さい高さで前記窪み部表面の上に延び、該フランジは、前記窪み面上に配置され、
前記ボルト組立体が、前記前記背面シート層に第２のブッシュを備え、前記第１及び第２のブッシュが共に前記コア層内に延びる、
音響パネル。
【請求項２】
前記背面シート層が、前記コア層に接合される、請求項１に記載の音響パネル。
【請求項３】
前記表面シート層が、前記コア層に接合される、請求項１に記載の音響パネル。
【請求項４】
前記ボルト組立体が、前記第１及び第２のブッシュを通って延びるボルトを含む、請求項１に記載の音響パネル。
【請求項５】
前記表面シート層が、前記表面内に複数のアパーチャを有する、請求項１に記載の音響パネル。
【請求項６】
前記窪み面がほぼ平坦である、請求項１に記載の音響パネル。
【請求項７】
前記コア層が、前記表面シート層と前記背面シート層との間に延びるハニカム断面を有する、請求項１に記載の音響パネル。
【請求項８】
複合積層パネルを備えた音響パネルであって、
前記複合積層パネルが、
空気流路の反対側に位置付けることができる背面シート層と、
前記背面シート層に隣接して接合されたコア層と、
を含み、
前記コア層がノイズを音響的に減衰させ且つ前記表面シート層に隣接した前記コア層の側部上に少なくとも１つの窪み部を有し、
前記表面シート層が前記コア層に接合され且つ空気流路に隣接して位置付けることができ、前記表面シート層が表面シートと該表面シートの表面と実質的に平行な少なくとも１つの窪み面とを有し、
該少なくとも１つの窪み面が前記少なくとも１つの窪み部に位置的に対応しており、前記窪み面が、前記コア層を貫通して延びる窪み部孔と整列した窪み面孔を有し、
前記複合積層パネルが更に、
ボルトと、前記表面シート層の孔を貫通して延びる前方ブッシュ部品と、前記背面シート層を捉え前記前方ブッシュ部品と係合する後方ブッシュ部品とを含むボルト組立体と、
を有し、
前記前方及び後方ブッシュ部品が、前記コア層内で互いに係合し、
前記ボルトが、前記少なくとも１つのブッシュを螺合し、
前記窪み面に対し配置された前記ボルト組立体のフランジが、前記表面シートと前記窪み面との間の高さより低い高さを有する、
音響パネル。
【請求項９】
前記パネルが更に、前記背面シート層上に孔を含む、請求項８に記載の音響パネル。
【請求項１０】
音響処理の目的で請求項１に記載の表面シートに複数のアパーチャを更に備える、請求項８に記載の音響パネル。
【請求項１１】
前記ボルトが、前記前方ブッシュ部品を貫通して延びて前記後方ブッシュ部品を係合する、請求項８に記載の音響パネル。
【請求項１２】
音響パネルを形成する方法であって、
最外面、該最外面と実質的に平行な少なくとも１つの窪み面、及び孔を有する表面シート層を形成するステップと、
コア層内の窪み部を前記窪み面の位置に対応するように形成するステップと、
複合混合物の前記表面シート層を前記コア層に接合するステップと、
前記音響パネルを貫通してボルト組立体を位置付け、且つ、前記表面シート、前記コア層及び前記背面シートを捉えるステップと、
を含み、
前記ボルト組立体が、前方ブッシュ部品と、前記コア層内で互いに係合する第２のブッシュ部品とを備え、
前記窪み面及び前記最外面が第１の高さを定め、前記ボルト組立体のボルトヘッドと前記前方ブッシュ部品のフランジとが第２の高さを定め、更に前記第１の高さが前記第２の高さよりも大きい、
方法。
【請求項１３】
前記表面シート層及び前記背面シート層の少なくとも１つに前記ボルト組立体を接合するステップを更に含む、請求項１２に記載の方法。
【請求項１４】
前記表面シート層を形成するステップが、ボスパックを有する先端マンドレルで前記表面シートを押圧するステップを含む、請求項１２に記載の方法。
【請求項１５】
前記先端マンドレルの反対側の前記表面シート上にシリコーンカウルシートを位置付けるステップを更に含む、請求項１４に記載の方法。
【請求項１６】
前記表面シート層の反対側の前記シリコーンカウルシート上にシリコーンシートを位置付けるステップを更に含む、請求項１５に記載の方法。
【請求項１７】
前記シリコーンシートを前記先端マンドレルとプラテンとの間に隣接して配置するステップを更に含む、請求項１６に記載の方法。
【請求項１８】
前記表面シートを第１及び第２のプラテン間に形成するステップを更に含む、請求項１２に記載の方法。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
フィルター材とその軸方向領域に配された煙変性剤を含む第１の個別のフィルターセクションと
第１フィルターセクションに接続され、フィルター材およびその軸方向領域に使用の際、煙変性剤が配されている第１フィルターセクションの軸方向領域に煙を案内するために配置された少なくとも１つの溝を含む第２の個別のフィルターセクションとを含み、煙変性剤が第１フィルターセクションのフィルター材の軸方向領域のみに配置される、またはこのフィルターセクションの軸方向領域にその非軸方向領域より多く配置され、第２フィルターセクションは、使用の際、第１フィルターセクションの非軸方向領域を介してより、その軸方向領域を介して多くの煙を案内するように構成され、
この第２フィルターセクションは、喫煙品に組み込んだ際に、第１フィルターセクションの下流に隣接するように第１フィルターセクションに接続されている喫煙品用フィルター。
【請求項２】
少なくとも１つの溝は、第１フィルターセクションのフィルター材の他の領域より煙が通過する際の抵抗が小さいことを特徴とする請求項１記載のフィルター。
【請求項３】
溝は、第２フィルターセクションを通る中空の経路であることを特徴とする請求項１または２記載のフィルター。
【請求項４】
第１および／または第２フィルターセクションのフィルター材の軸方向領域は、１ｍｍ〜４ｍｍの半径を有し、喫煙品の軸が中心になることを特徴とする請求項１乃至３いずれか１項記載のフィルター。
【請求項５】
第１フィルターセクションは、連続したフィルター材を含み、このフィルター材は、その軸方向領域に配された煙変性剤を有することを特徴とする請求項１乃至４いずれか１項記載のフィルター。
【請求項６】
第２フィルターセクションは、管状のフィルターセクションであることを特徴とする請求項１乃至５いずれか１項記載のフィルター。
【請求項７】
前記管状のフィルターセクションは、繊維性フィルター材から形成されることを特徴とする請求項６記載のフィルター。
【請求項８】
煙変性剤は、カプセル化された添加剤を含むことを特徴とする請求項１乃至７いずれか１項記載のフィルター。
【請求項９】
前記煙変性剤は、第１フィルターセクション内の長手方向に延びた中央位置以外の位置で第１フィルターセクション内に位置するカプセル内に含有されることを特徴とする請求項８記載のフィルター。
【請求項１０】
前記カプセルは、第１フィルターセクション内の長手方向の中央位置から１ｍｍ〜１０ｍｍ離れた位置で第１フィルターセクション内に位置していることを特徴とする請求項９記載のフィルター。
【請求項１１】
煙変性剤は、担体材料に配されていることを特徴とする請求項１乃至７いずれか１項に記載のフィルター。
【請求項１２】
前記担体材料は、糸であることを特徴とする請求項１１記載のフィルター。
【請求項１３】
喫煙品に組み込んだ際に、第１フィルターセクションの上流になるように第１フィルターセクションに接続された第３の個別のフィルターセクションをさらに含むことを特徴とする請求項１乃至１２いずれか１項に記載のフィルター。
【請求項１４】
前記第３フィルターセクションは、繊維性フィルター材および粒状の吸着材を含んでいることを特徴とする請求項１３記載のフィルター。
【請求項１５】
前記粒状の吸着材は、第３フィルターセクションの円周領域に配置する、第３フィルターセクションのフィルター材に分散させる、または第３フィルターセクションの円周領域に配置された粒状の吸着材および第３フィルターセクションに分散された粒状の吸着材が含まれていることを特徴とする請求項１４記載のフィルター。
【請求項１６】
請求項１乃至１５いずれか１項記載のフィルターを含む喫煙品。
【請求項１７】
第２フィルターセクションは、第１フィルターセクションの下流に隣接し、喫煙品の吸い口端に配置されていることを特徴とする請求項１６記載の喫煙品。
【請求項１８】
軸方向領域に配されたエアロゾル発生材およびエアロゾル変性剤を含む第１セクションと、
使用の際、エアロゾル発生材によって発生させたエアロゾルを第１セクションの軸方向領域を介して案内するために軸方向領域に位置する少なくとも１つの溝を有するフィルターを含む第２セクションとを含み、この第２セクションは、使用の際、第１セクションの非軸方向領域より、第１セクションの軸方向領域を介して多くの煙を案内することを特徴とする喫煙品。
【請求項１９】
前記第２セクションは、管状のフィルターセクションであることを特徴とする請求項１８記載の喫煙品。
【請求項２０】
前記管状のフィルターセクションは、繊維性フィルター材から形成されていることを特徴とする請求項１９記載の喫煙品。
【請求項２１】
エアロゾル変性剤は、第１セクションのエアロゾル発生材の非軸方向領域より軸方向領域に多く配されていることを特徴とする請求項１８乃至２０いずれか１項記載の喫煙品。
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
周面に沿って図柄が配列された複数のリールと、
リールを制御するリール制御手段と、
リールの駆動パターンを定めたシナリオテーブルを記憶する記憶手段と、を備える遊技機であって、
前記リール制御手段は、
所定のリール演出を実行するときにおいて、
リールが停止した停止位置に関する情報を取得した後に特定の図柄組合せを構成する特定図柄までの回転量を算出し、
複数のリールのうち、第１のリールにおける特定図柄までの回転量をＸ、
複数のリールのうち、第２のリールにおける特定図柄までの回転量をＹ、
複数のリールのうち、第３のリールにおける特定図柄までの回転量をＺ、としたとき、
各リールに特定図柄を表示するために、それぞれ個別に決定した回転量だけ各リールを回転させ特定の図柄組合せを表示可能にすることを特徴とする遊技機。
【手続補正２】
【補正対象書類名】明細書
【補正対象項目名】０００８
【補正方法】変更
【補正の内容】
【０００８】
上記課題を解決するため、本発明は、周面に沿って図柄が配列された複数のリールと、リールを制御するリール制御手段と、リールの駆動パターンを定めたシナリオテーブルを記憶する記憶手段と、を備える遊技機であって、前記リール制御手段は、所定のリール演出を実行するときにおいて、リールが停止した停止位置に関する情報を取得した後に特定の図柄組合せを構成する特定図柄までの回転量を算出し、複数のリールのうち、第１のリールにおける特定図柄までの回転量をＸ、複数のリールのうち、第２のリールにおける特定図柄までの回転量をＹ、複数のリールのうち、第３のリールにおける特定図柄までの回転量をＺ、としたとき、各リールに特定図柄を表示するために、それぞれ個別に決定した回転量だけ各リールを回転させ特定の図柄組合せを表示可能にする。
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
前記遊技領域に設けられ、可動部材により遊技媒体の入賞が容易な状態と入賞が困難な状態とに切り替えられる特図始動口と、
前記遊技領域に設けられ、遊技媒体が通過または受け入れられる普図始動口と、
前記普図始動口への遊技媒体の通過または受け入れにもとづいて普図抽選を行うとともに、一の普図抽選の結果が特定の結果であるときに前記特図始動口への遊技媒体の入賞が容易な状態へと切り替える特図始動口開放制御手段と、
前記特図始動口への遊技媒体の入賞にもとづいて特図抽選を行う特図抽選手段と、
前記特図抽選手段による一の特図抽選の結果にもとづいて所定の変動時間にわたって変動表示される変動表示手段と、
前記一の特図抽選の結果にもとづく変動表示を所定の上限数まで保留可能な変動表示保留手段と、
前記所定の変動時間として第一の時間を設定する第一変動時間設定手段と、
前記所定の変動時間として前記第一の時間よりも長い第二の時間を設定する第二変動時間設定手段と、
前記第一変動時間設定手段または前記第二変動時間設定手段により設定された変動時間にわたって前記変動表示手段において変動表示しうる変動表示制御手段と、
を備え、
前記変動表示制御手段は、
前記第一の時間と前記変動表示保留手段により保留可能な前記上限数とを乗算した合計変動時間が、前記一の普図抽選の結果が特定の結果であることにもとづいて前記特図始動口への遊技媒体の入賞が容易な状態とされている合計時間よりも短くなるように変動表示する高速変動表示実行手段、及び
前記第二の時間と前記変動表示保留手段により保留可能な前記上限数とを乗算した合計変動時間が、前記一の普図抽選の結果が特定の結果であることにもとづいて前記特図始動口への遊技媒体の入賞が容易な状態とされている合計時間よりも長くなるように変動表示する通常変動表示実行手段を有する
ことを特徴とする遊技機。
【請求項２】
前記特図抽選手段は、
乱数を取得し、該取得した乱数を用いて前記特図抽選を行うものである
請求項１に記載の遊技機。
【請求項３】
所定の音響演出が行われるスピーカ装置をさらに備える
請求項１または２に記載の遊技機。
【手続補正２】
【補正対象書類名】明細書
【補正対象項目名】０００８
【補正方法】変更
【補正の内容】
【０００８】
請求項１に記載の遊技機は、遊技者の操作によって遊技媒体が打ち込まれる遊技領域と、前記遊技領域に設けられ、可動部材により遊技媒体の入賞が容易な状態と入賞が困難な状態とに切り替えられる特図始動口と、前記遊技領域に設けられ、遊技媒体が通過または受け入れられる普図始動口と、前記普図始動口への遊技媒体の通過または受け入れにもとづいて普図抽選を行うとともに、一の普図抽選の結果が特定の結果であるときに前記特図始動口への遊技媒体の入賞が容易な状態へと切り替える特図始動口開放制御手段と、前記特図始動口への遊技媒体の入賞にもとづいて特図抽選を行う特図抽選手段と、前記特図抽選手段による一の特図抽選の結果にもとづいて所定の変動時間にわたって変動表示される変動表示手段と、前記一の特図抽選の結果にもとづく変動表示を所定の上限数まで保留可能な変動表示保留手段と、前記所定の変動時間として第一の時間を設定する第一変動時間設定手段と、前記所定の変動時間として前記第一の時間よりも長い第二の時間を設定する第二変動時間設定手段と、前記第一変動時間設定手段または前記第二変動時間設定手段により設定された変動時間にわたって前記変動表示手段において変動表示しうる変動表示制御手段と、を備え、前記変動表示制御手段は、前記第一の時間と前記変動表示保留手段により保留可能な前記上限数とを乗算した合計変動時間が、前記一の普図抽選の結果が特定の結果であることにもとづいて前記特図始動口への遊技媒体の入賞が容易な状態とされている合計時間よりも短くなるように変動表示する高速変動表示実行手段、及び前記第二の時間と前記変動表示保留手段により保留可能な前記上限数とを乗算した合計変動時間が、前記一の普図抽選の結果が特定の結果であることにもとづいて前記特図始動口への遊技媒体の入賞が容易な状態とされている合計時間よりも長くなるように変動表示する通常変動表示実行手段を有するようにしたものである。
請求項２に記載の遊技機は、請求項１に記載の遊技機において、前記特図抽選手段は、乱数を取得し、該取得した乱数を用いて前記特図抽選を行うようにしたものである。
請求項３に記載の遊技機は、請求項１または２に記載の遊技機において、所定の音響演出が行われるスピーカ装置をさらに備えるようにしたものである。
【手続補正３】
【補正対象書類名】明細書
【補正対象項目名】０００９
【補正方法】削除
【補正の内容】
【手続補正４】
【補正対象書類名】明細書
【補正対象項目名】０９４３
【補正方法】変更
【補正の内容】
【０９４３】
また、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
例えば、手段１に記載の発明では、以下の構成を備えている。
手段１：遊技球の発射強度を調整しうる発射調整手段と、前記発射調整手段により所定値以上の発射強度にて打ち出された遊技球が到達しうる高速遊技領域と、前記高速遊技領域に到達した遊技球をその球速度が減退され難い位置にて高さ方向に流下させる球速維持通路と、前記球速維持通路内にて設けられ、遊技球が通過可能なゲート部材、および、可動部材により入賞が容易な状態と入賞が困難な状態とに切り替えられる始動口と、特定の遊技状態においては、前記球速維持通路内における前記ゲート部材を通過した遊技球を、その通過に応じた前記可動部材の動作によって入賞容易とされた前記始動口にそのまま高速入賞させる制御を実行可能な高速入賞制御手段と、前記高速入賞制御手段による制御によって、前記発射調整手段により所定値以上の発射強度にて打ち出された遊技球がその球速度を維持しながら前記球速維持通路内にある前記始動口に連続して次々と高速入賞されうる状況下において、それら遊技球の高速入賞がある都度、大当りについての抽選が次々と高速消化されうる制御を実行可能な抽選高速消化制御手段とを備えることを特徴とする遊技機。
このような構成によれば、特定の遊技状態においては、始動口に入賞するまでの遊技領域内の遊技球の球速度が高められることはもとより（高速入賞）、大当り抽選にかかる消化スピードについても、該高速入賞がある都度、大当りについての抽選が次々と高速消化されうる程度にまで飛躍的に向上されるようになる。したがって、遊技領域における見た目的なスピード感（球速度）と相まって、遊技の進行スピードが飛躍的に高められた印象を強く与えることができるようになり、このようなスピード感満載の遊技によって遊技興趣の低下が抑制されるようになる。